(57)【要約】フィルムスキャナによりマウントフィルムの画像を読取ると、本来出力すべき画像部分の周囲に枠を含んだ画像データが生成される。オートクロップを指示すると、画像データのヒストグラム解析により枠が抽出される。このとき、出力すべき画像データの出力サイズ、すなわち縦横比が指示されていると、たとえば縦方向の出力範囲は、枠が除去されるように自動的に設定され、さらに、横方向の出力範囲は、指示された縦横比が実現されるように自動設定される。
2004002132.tif 000002
【特許請求の範囲】
【請求項１】
原稿から画像を読取り、本来出力すべき画像部分の周囲に不要部分を含んだ画像データを生成する画像データ生成装置と、
出力すべき画像データの縦横比を指示する縦横比指示手段と、
前記不要部分を取り除くことを指示する不要部分除去指示手段と、
前記不要部分の除去が指示されているとき、前記生成される画像データを分析して前記不要部分を抽出する抽出手段と、
前記縦横比と前記不要部分除去の指示とが出力されているとき、画像の縦および横方向のいずれか一方の出力範囲を、前記不要部分が除去されるように自動的に設定する第１の出力範囲設定手段と、
画像の縦および横方向のいずれか他方の出力範囲を、前記第１の出力範囲設定手段にて設定された出力範囲に基づいて、前記指示された縦横比が実現されるように自動的に設定する第２の出力範囲設定手段と、
前記生成される画像データのうち前記第１および第２の出力範囲設定手段で設定された縦および横方向の出力範囲の画像データを最終的に出力する最終出力手段とを備える画像処理システム。
【請求項２】
請求項１に記載の画像処理システムにおいて、
縦および横方向のいずれに対しても前記不要部分が最終出力画像データに含まれないように前記第１の出力範囲設定装置による出力範囲設定方向を決める。
【請求項３】
請求項１に記載の画像処理システムにおいて、
前記本来出力すべき画像部分の全てが最終出力画像データに含まれるように前記第１の出力範囲設定装置による出力範囲設定方向を決める。
【請求項４】
請求項１に記載の画像処理システムにおいて、
２種類の画像出力形態が選択可能とされ、
一方の画像出力形態が選択されているときには、前記不要部分が縦および横方向のいずれに対しても出力画像データに含まれないように前記第１の出力範囲設定手段による出力範囲設定方向を決め、他方の画像出力形態が選択されているときには、前記本来出力すべき画像部分の全てが最終出力画像データに含まれるように前記第１の出力範囲設定手段による出力範囲設定方向を決める。
【請求項５】
画像読取装置から入力され周囲に不要部分を含んだ画像データを処理するコンピュータで実行するプログラムは、
出力すべき画像データから前記不要部分を除去することが指示されているとき、生成される画像データを分析して不要部分を抽出する抽出処理と、
出力画像の縦横比と不要部分除去の指示とが出力されているとき、画像の縦および横方向のいずれか一方の出力範囲を、前記不要部分が除去されるように自動的に設定する第１の出力範囲設定処理と、
画像の縦および横方向のいずれか他方の出力範囲を、前記第１の出力範囲設定処理で設定された出力範囲に基づいて、前記選択された縦横比が実現されるように自動的に設定する第２の出力範囲設定処理と、
前記入力される画像データのうち前記設定された縦および横方向の出力範囲のデータを最終的に出力する最終出力処理の各工程を備える。
【請求項６】
請求項５のプログラムにおいて、
縦および横方向のいずれに対しても前記不要部分が最終出力画像データに含まれないように前記第１の出力範囲設定処理による出力範囲設定方向を決める。
【請求項７】
請求項５のプログラムにおいて、
前記本来出力すべき画像部分の全てが最終出力画像データに含まれるように前記第１の出力範囲設定処理による出力範囲設定方向を決める。
【請求項８】
請求項５のプログラムにおいて、
２種類の画像出力形態のいずれが指示されているかを判定する判定処理をさらに含み、
一方の画像出力形態が指示されているときには、前記不要部分が縦および横方向のいずれに対しても出力画像データに含まれないように前記第１の出力範囲設定処理による出力範囲設定方向を決め、他方の画像出力形態が指示されているときには、前記本来出力すべき画像部分の全てが最終出力画像データに含まれるように前記第１の出力範囲設定処理による出力範囲設定方向を決める。
【発明の詳細な説明】
本出願は日本国特許出願２００２年第１８４３７４号を基礎とし、その内容は引用文としてここに組み込まれる。
【技術分野】  本発明は、画像データから不要部分を自動的に取り除く機能と、画像の出力サイズを選択する機能とを併せ持つ画像処理システムおよび画像処理プログラムに関する。
【背景技術】  スキャナで読取った画像データのうち不要部分を除去して必要部分のみを自動的に選択する機能がある。この機能は「オートクロップ」あるいは「自動トリミング」などと呼ばれ、例えば書類の余白部分を除いたり、マウントフィルムを読取った画像のマウント部分を除く際に用いられる。オートクロップの基本原理は、原稿の画像部分と不要部分とを画像データのヒストグラム等を解析することで弁別し、画像部分のみが抽出されるように縦横の出力範囲を設定するというものである（例えば、特開平８−３１５１０７号公報，特開平１０−１０５６９４号公報）。
ところで、スキャナで読取った画像は印刷目的で利用されることが多いが、近年では、印刷媒体のサイズを予め選択しておくことで、その選択されたサイズに適合したサイズの画像を自動的に出力する機能を持ったスキャン用プログラム（ドライバソフトウェア）が市場に出始めている。サイズは、例えば「Ａ４サイズ」や「はがきサイズ」などの複数の選択肢から使用者の指示に従って選択するようになっている。この出力サイズ選択機能は、印刷に限らず、例えばＷｅｂ上のホームページに画像を貼り付ける場合やコンピュータ上で画像を観賞する場合にも有用である。この種のソフトウェアを用いれば、使用者は画像サイズを設定するにあたって煩雑な操作を行わずに済む。
上述したオートクロップ機能と出力サイズ選択機能との併用を考える。オートクロップ処理によって得られる画像の縦横比と選択された出力サイズの縦横比とは必ずしも一致しないため、出力サイズを指定した後にオートクロップを実行すると、最終出力画像の縦横比が出力サイズ選択機能で選択した縦横比とならないおそれがある。具体的には、出力サイズとしてＡ４（横向き）を選択した場合、その縦横比は約１：１．４であるため、これを選択した時点でスキャン用プログラムの読取設定は縦横比が１：１．４に設定される。しかし、読取原稿が３５ｍｍフィルムであった場合、その１齣の画像の縦横比は２：３＝１：１．５であるため、オートクロップを実行すると出力データの縦横比が１：１．５となってしまう。その結果、例えばＡ４の用紙全体に印刷したいにも拘わらず、不所望に余白部分が生ずるといった不都合が起こる。これを回避するには、所望の画像を得るために再度クロップを手動で修正するか、あるいは最初からオートクロップ機能を使用しないで出力範囲を手動で設定する必要があり、手間がかかる。
【発明の開示】
本発明の目的は、オートクロップ機能を使用しつつも所望のサイズの画像データを簡単に得ることが可能な画像処理装置および画像処理プログラムを提供することにある。
本発明に係る画像処理システムは、原稿から画像を読取り、本来出力すべき画像部分の周囲に不要部分を含んだ画像データを生成する画像データ生成装置と、
出力すべき画像データの縦横比を指示する縦横比指示手段と、不要部分を取り除くことを指示する不要部分除去指示手段と、不要部分の除去が指示されているとき、生成される画像データを分析して不要部分を抽出する抽出手段と、縦横比と不要分除去の指示とが出力されているとき、画像の縦および横方向のいずれか一方の出力範囲を、不要部分が除去されるように自動的に設定する第１の出力範囲設定手段と、画像の縦および横方向のいずれか他方の出力範囲を、第１の出力範囲設定手段にて設定された出力範囲に基づいて、指示された縦横比が実現されるように自動的に設定する第２の出力範囲設定手段と、生成される画像データのうち第１および第２の出力範囲設定手段で設定された縦および横方向の出力範囲の画像データを最終的に出力する最終出力手段とを備える。
縦および横方向のいずれに対しても不要部分が最終出力画像データに含まれないように第１の出力範囲設定手段による出力範囲設定方向を決めるようにしてもよい。あるいは、本来出力すべき画像部分の全てが最終出力画像データに含まれるように第１の出力範囲設定手段による出力範囲設定方向を決めるようにしてもよい。
上記２種類の画像出力形態を選択可能とすることもできる。一方の画像出力形態が選択されているときには、不要部分が縦および横方向のいずれに対しても出力画像データに含まれないように第１の出力範囲設定手段による出力範囲設定方向を決め、他方の画像出力形態が選択されているときには、本来出力すべき画像部分の全てが最終出力画像データに含まれるように第１の出力範囲設定手段による出力範囲設定方向を決めるようにすることができる。
本発明による画像処理プログラムは、画像読取装置から入力され周囲に不要部分を含んだ画像データを処理するコンピュータで実行される。このプログラムは、出力すべき画像データから不要部分を除去することが指示されているとき、生成される画像データを分析して不要部分を抽出する抽出処理と、出力画像の縦横比と不要部分除去の指示とが出力されているとき、画像の縦および横方向のいずれか一方の出力範囲を、不要部分が除去されるように自動的に設定する第１の出力範囲設定処理と、画像の縦および横方向のいずれか他方の出力範囲を、第１の出力範囲設定処理で設定された出力範囲に基づいて、指示された縦横比が実現されるように自動的に設定する第２の出力範囲設定処理と、記入力される画像データのうち設定された縦および横方向の出力範囲のデータを最終的に出力する最終出力処理の各工程を備える。
本発明によれば、画像データの縦横比を選択可能にするとともに、画像の縦および横方向のいずれか一方に対して不要部分が除去されるように出力範囲を設定し、他方に対しては、一方の出力範囲に基づいて、上記選択された縦横比が実現されるように出力範囲を設定する。その結果、オートクロップという便利な機能を使用しつつも常に所望の縦横比の画像データを簡単に得ることが可能となる。
【発明を実施するための最良の形態】  図１〜図８により本発明の一実施の形態による画像処理システムを説明する。
図１および図２は本実施形態におけるフィルムスキャナ（画像読取装置）ＳＣの断面図である。フィルムスキャナＳＣには、読取原稿１の種類に応じて複数種類のアダプタが用意されている。図は原稿１がスライドマウントである例を示し、スライドマウント１が保持されたマウントアダプタ２が読取位置にセッティングされている。なお、原稿がストリップフィルムの場合には他のアダプタが用いられる。
本実施形態のフィルムスキャナＳＣでは、固定された原稿１に対して読取光学系を移動させて読取りを行う。読取光学系は、原稿１を照明する照明ユニット１０と、原稿１の透過光（ここではマウントされたフィルムの透過光）を撮像するための撮像ユニット２０とから構成され、照明ユニット１０は光源としてのＢ−ＬＥＤ，Ｇ−ＬＥＤ，Ｒ−ＬＥＤを備えている。撮像ユニット２０は、画像読取センサ（以下、単に読取センサと呼ぶ）２１と、読取センサ２１に原稿の透過光を導くための光学系を構成するミラー２２および投影レンズ２３とを有する。
照明ユニット１０および撮像ユニット２０は、メカブロックとして一体化され、メカブロックはステッピングモータ２４により図１の左右方向にスキャン駆動される。すなわち、ステッピングモータ２４の回転が減速ギアを介してリードねじ２５を回転せしめ、リードねじ２５とナット２６の作用によってメカブロックがガイドバー２７に案内されつつ移動する。
図３はフィルムスキャナＳＣとホストコンピュータＨＣとから成る画像処理システムのブロック図である。上述したスキャン用のステッピングモータ２４は、制御回路３１からの指令によってモータドライバ３２を介して駆動される。また照明ユニット１０を構成するＬＥＤは、制御回路３１からの指令によりＬＥＤドライバ３３を介して駆動され、撮像ユニット２０を構成する読取センサ２１は、タイミング発生器３４を介して駆動される。読取センサ２１の光電変換出力は、増幅器３５で増幅され、Ａ／Ｄ変換器３６でデジタル信号に変換されるなどして所定の形態の画像データが生成される。生成された画像データは制御回路３１を介してホストコンピュータＨＣ側に送られる。制御回路３１にはまた、フォーカシングモータ３７のモータドライバ３８と、メモリ３９と、ホストコンピュータＨＣと接続するためのインターフェース４０が接続されている。フォーカシングモータ３７の駆動力は、フォーカス調整機構４１を介して撮像ユニット２０の投影レンズ２３に伝達され、投影レンズ２３の焦点調節が行われる。
一方、ホストコンピュータＨＣはパーソナルコンピュータや周辺機器から成り、ＣＰＵ５１と、メモリ５２と、ハードディスク５３と、フィルムスキャナＳＣと接続するためのインターフェース５４とを有するとともに、表示装置（モニタ）５５と、プリンタ５６と、ＣＤ−ＲＯＭドライブ５７等も有する。スキャナＳＣからの画像データはメモリ５２またはハードディスク５３に格納される。また、ハードディスク５３にはスキャン用プログラム（ドライバソフトウェア）がインストールされ、ＣＰＵ５１は、このプログラムの処理手順に従ってスキャナＳＣを制御したり、スキャナＳＣからの画像データを処理したりする。
スキャン用プログラムがサポートする種々の機能のうち、オートクロップ機能と出力サイズ選択機能について具体例を挙げて説明する。なお、オートクロップ機能と出力サイズ選択機能に関する入力は、図示しない入力操作部から行われる。
画像の読取りが指示されると、スキャナＳＣ側ではまずプレビュー用の画像読取りが行われ、読取られたプレビュー画像がホストコンビュータＨＣの表示装置５５に表示される。図４（ａ）は３５ｍｍフィルムの１齣分の画像を読取った例を示し、符号６１はフィルムの露光画面に相当する部分（以下、画像部分と呼ぶ）を示す。この画像部分の縦横比は１：１．５である。
ここで、上述のように原稿がスライドマウントの場合には、画像部分６１の周囲全体にマウント部に相当する枠６２が生じる。また原稿がストリップフィルムであった場合には、フィルムの齣間部分やフィルムホルダの一部がやはり枠として表れる。これらの枠６２は本来の画像を構成しない不要部分であり、最終出力画像からはなるべく取り除かれることが望ましい。しかし、現時点ではオートクロップが行われていないため、図示の如く枠６２がそのまま残っている。
使用者は、上述のプレビュー画像を見ながら、不図示の入力部操作により出力サイズ（印刷サイズ）の選択して指示することができる。例えば「Ａ４サイズ」や「はがきサイズ」などの複数の選択肢が用意されており、その中からいずれかを選択することにより、ＣＰＵ５１に出力サイズが指示される。この出力サイズの選択によって出力画像の縦横比が自動的に決まり、スキャン用プログラムの読取設定はその縦横比に設定される。つまり出力サイズの選択は、換言すれば縦横比の選択である。ここではＡ４サイズ（横向き）が選択されたとする。Ａ４サイズの縦横比は１：１．４（図４（ｂ））であるから、プログラムの読取設定は縦横比１：１．４に設定される。
不図示の入力部操作によりオートクロップが指定されていた場合には、画像データのヒストグラム等が解析されることで、画像部分６１と枠６２とが弁別され、枠６２が除去されるように出力範囲が設定される。ただし、従来のように縦方向および横方向の双方に対してオートクロップによる範囲設定が行われると、得られる画像データは画像部分６１全体のデータとなり、その縦横比は１：１．５となる。これは先に縦横比として選択した１：１．４と一致しない。
そこで本実施形態では、まず縦方向および横方向のいずれか一方に対して枠６２を除去するための出力範囲設定（オートクロップによる範囲設定）を行い、いずれか他方に関しては、その一方の範囲設定に基づいて、選択された縦横比が実現されるように出力範囲設定を行う。以下、その具体例を説明する。
図５は図４（ａ）の画像に対して、出力サイズとしてＡ４を指示し、かつ、オートクロップを指示した場合の出力範囲設定の一例を示し、破線で囲まれた矩形の領域が最終出力画像データ（印刷用出力データ）に相当する。図から分かるように、縦方向に関しては、オートクロップにより枠６２の上下部分が除かれるように出力範囲が設定され、横方向は、縦方向の出力範囲を１とした場合に１．４となるように出力範囲が設定される。この場合は、枠６２は縦横とも完全に取り除かれるが、画像部分６１の左右部分が失われることになる。これは、例えばＡ４の用紙全面に縁なしで印刷したい場合に適している。
なお、図５では横方向の出力範囲が画像部分６１の中央となっているが、例えば左右端のいずれか一方から他端にかけて１．４の範囲が設定されるようにしてもよい。
プレビューに次いで正式な画像読取り（本スキャン）が行われると、上記破線枠で設定された範囲の画像データが最終的に出力され、ハードディスク５３等に格納される。この画像データが印刷に供されることになる。
上述のような出力範囲の設定方法によれば、オートクロップという便利な機能を生かしつつも予め選択した出力サイズ（縦横比）を実現できるため、手間のかかる操作を行うことなく所望の出力結果（印刷結果）を得ることができる。例えばＡ４の用紙全体に印刷したい場合に、不所望に余白部分が生ずるといった不都合はなくなる。これは、印刷以外に例えばＷｅｂ上のホームページに画像を貼り付けたり、コンピュータ上で画像を観賞するときにも同様である。
ここで、上記出力範囲を示す破線は、プレビューの時点で実際に画面に表示されるので、使用者は出力範囲を容易に認識でき、必要に応じて修正することができる。例えば、マウスを用いて破線枠の大きさや縦横比を自由に変更できる。ただし、出力サイズ選択で縦横比が決まっている場合には、その縦横比を保ったまま破線枠の大きさのみが変更可能である。また破線枠の大きさはそのままで位置をシフトすることもできる。
図５では縦方向にオートクロップによる範囲設定を行ったが、図６は図４（ａ）の画像に対し、横方向にオートクロップによる出力範囲設定を行った例を示している。すなわち、横方向については枠６２の左右部分が除かれるように出力範囲が設定され、縦方向は、横方向を１．４とした場合に１となるように出力範囲が設定される。この場合は、画像部分６１が縦横ともに欠けることはないが、上下に枠６２が一部残ってしまう。この枠部分は印刷時に余白として表れるが、たとえ余白は生じても画像部分６１を完全状態で印刷したい場合には、この設定が望ましい。
なお、図６では上下の枠６２が均等に残っているが、これは均等でなくてもよく、例えば上下のいずれか一方にのみに枠が生ずるようにしてもよい。
以上では２通りの出力範囲設定方法（図５，図６）を説明したが、いずれの方法が適しているかは印刷目的等によって異なるので、これらを使用者が選択できるようにスキャン用プログラムの仕様を決めることが望ましい。選択肢としては、例えば、
・第１の出力形態：枠が全く含まれないよう出力する（図５）
・第２の出力形態：画像部分の全てを出力する（図６）
のようにすればよい。
第１，第２の出力形態のいずれが選択されるかによって、オートクロップによる範囲設定の方向（縦方向か横方向か）が変わってくる。また同一の出力形態においても、画像部分６１の縦横比と、出力サイズ選択による縦横比との組合せによって縦横のいずれに対してオートクロップによる範囲設定を行うかが変わる。例えば第１の出力形態が選択されているとき、図５のように画像部分６１に対して選択サイズの方が横方向に短い場合、すなわち、画像部分６１の縦横比１．５に対して選択サイズの縦横比１．４の場合には、上述したように縦方向にオートクロップによる範囲設定が行われる。一方、例えば図７に示すように、画像部分６１に対して選択サイズの方が横長の場合、すなわち、画像部分６１の縦横比１．５に対して選択サイズの縦横比１．６の場合には、横方向にオートクロップによる範囲設定が行われる。第２の出力形態においては、第１の出力形態の逆となる。
なお、第１および第２の出力形態のうちいずれか一方のみをサポートするものでもよい。
図８は、上述した２通りの出力範囲設定方法をユーザが選択できるようにしたフィルムスキャナの処理手順の一例を示すフローチャートである。この処理手順はホストコンピュータＨＣのハードディスク５３に格納されたプログラムにより実行される。
ステップＳ１においてプリスキャンを実行し、ステップＳ２において、表示装置５５にプリスキャン画像を表示する。ステップＳ３において、オートクロップが指示されているか判定する。指示されていると、ステップＳ４において、プリスキャン画像に対してヒストグラム解析を行い、ステップＳ５で画像の枠を抽出する。ステップＳ６で出力サイズの指示がないと判定されると、ステップＳ７において、枠を含まないような縦横比の出力画像範囲を設定するオートクロップ処理を実行する。そして、ステップＳ８において本スキャンを行い、ステップＳ９において、設定された範囲の出力画像をハードディスク５３に格納する。
ステップＳ６で出力サイズが指示されていると判定されると、ステップＳ１０に進む。ステップＳ１０に進む場合、出力サイズとオートクロップの双方が指示されているので、出力画像の種類をユーザに選択させる。ユーザが「枠無し画像」を選択すると、ステップＳ１１に進み、たとえば図５に示すように、出力画像の縦方向の寸法を保持し、出力画像の横方向の寸法を調整することにより、指示された出力サイズによる出力画像の縦横比を設定する。一方、ユーザが「画像全体」を選択すると、ステップＳ１２に進み、たとえば図６に示すように、出力画像の横方向の寸法を保持し、出力画像の縦方向の寸法を調整することにより、指示された出力サイズによる出力画像の縦横比を設定する。そしてステップＳ８、Ｓ９の処理により、ステップＳ１１またはステップＳ１２を実行して設定された範囲の出力画像をハードディスク５３に格納する。
ステップＳ３において、オートクロップ指示がないと判定されると、ステップＳ１３において、出力サイズが指示されるまで待機する。出力サイズが指示されると、ステップＳ１４において、指示された出力サイズの出力画像の縦横比を設定する。そしてステップＳ８、Ｓ９の処理により、設定された範囲の出力画像をハードディスク５３に格納する。
図８の処理を実行するＣＰＵ５１により、次のような画像処理システムを実現できる。すなわち、この画像処理システムは、出力すべき画像データの縦横比を指示する縦横比指示部と、不要部分を取り除くことを指示する不要部分除去指示部と、不要部分の除去が指示されているとき、生成される画像データを分析して不要部分を抽出する抽出部と、縦横比と不要分除去の指示とが出力されているとき、画像の縦および横方向のいずれか一方の出力範囲を、不要部分が除去されるように自動的に設定する第１の出力範囲設定部と、画像の縦および横方向のいずれか他方の出力範囲を、第１の出力範囲設定部にて設定された出力範囲に基づいて、指示された縦横比が実現されるように自動的に設定する第２の出力範囲設定部と、生成される画像データのうち第１および第２の出力範囲設定部で設定された縦および横方向の出力範囲の画像データを最終的に出力する最終出力部とを備える。
以上では、出力サイズ選択の際に「Ａ４サイズ」や「はがきサイズ」などから選択するようにしたが、例えば用紙の縦横の寸法や縦横比を数値で指定する方法でもよい。また、不要部分である枠６２は画像部分６１の四方全てに存在するとは限らない。さらに枠６２を不要部分とみなしたが、例えば特開平８−３１５１０７号公報に記載されているように、画像部分の一部であっても不要部分とみなされることもある。
【産業上の利用可能性】  オートクロップおよび出力サイズ選択をドライバソフトウェアでサポートしたが、スキャナのファームウェアでサポートしてもよい。すなわち、スキャナ自体にオートクロップ機能および／または出力サイズ選択機能を持たせてもよい。さらに、画像読取装置（画像データ生成装置）としてフィルムスキャナを例に挙げたが、これはフラットベッドスキャナでもよく、あるいはコピー機やファクシミリでもよい。
【図面の簡単な説明】  図１は、本発明の一実施形態におけるフィルムスキャナの断面図。
図２は、図１のＩＩ−ＩＩ線断面図。
図３は、フィルムスキャナとホストコンピュータとから成るシステムのブロック図。
図４は、３５ｍｍフィルム１齣分の画像を読取った画像データとＡ４用紙の縦横比を比較する図。
図５は、図４の組合せで、最終出力に不要部分が含まれないように範囲設定を行った例を示す図。
図６は、図４の組合せで、最終出力に画像部分が全て含まれるように範囲設定を行った例を示す図。
図７は、図４と異なる組合せで、最終出力に不要部分が含まれないように範囲設定を行った例を示す図。
図８は、ホストコンピュータで実行されるプログラムにより出力画像範囲を設定する処理の一例を示すフローチャート。
【図１】
2004002132.tif 000003
【図２】
2004002132.tif 000004
【図３】
2004002132.tif 000005
【図４】
2004002132.tif 000006
【図５】
2004002132.tif 000007
【図６】
2004002132.tif 000008
【図７】
2004002132.tif 000009
【図８】
2004002132.tif 000010
【国際調査報告】
2004002132.tif 000011
2004002132.tif 000012
2004002132.tif 000013
2004002132.tif 000014
2004002132.tif 000015